(57)【要約】  前側ベルト部分及び後側ベルト部分を有する使い捨て吸収性パンツを開示する。前側及び後側ベルト部分は、サイドシームで接合され、後側ベルト部分は、前側ベルト部分よりも長さが長い。後側ベルト部分の下縁部は、左脚部及び右脚部の各開口部の縁部からサイドシームの後側までを少なくとも部分的に形成する。後側ベルト部分は、サイドシームの下に配設された、横方向に伸展し、横方向に予歪みが付与された複数の弾性ストランドを挟む第１の不織ウェブ材料及び第２の不織ウェブ材料の層を含む。複数の弾性ストランドのうちの第１のストランドは、予歪み、引張り弾性率、デシテックス、及びこれらの組み合わせのうちの１つ以上の量が、複数の弾性ストランドのうちの第２のストランドとは異なる。
2017527351.tif 000002
【特許請求の範囲】
【請求項１】
使い捨て吸収性パンツであって、前側ベルト部分と、後側ベルト部分と、外周、前側領域、股領域、後側領域、トップシート、バックシート、及び前記トップシートと前記バックシートとの間に配設された吸収性コアを有する中心シャーシと、を含み、前記中心シャーシは前記前側領域で前記前側ベルト部分に接合しており、前記後側領域で前記後側ベルト部分と接合しており、
前記後側ベルト部分は、前記前側ベルト部分よりも長く、前記前側ベルト部分が、左右のサイドシームのそれぞれに沿って前記後側ベルト部分と接合しており、
前記後側ベルト部分の下縁部は、前記左右のサイドシームのそれぞれの後側に左右の脚部開口部の縁部を少なくとも部分的に形成し、前記後側ベルト部分は、
第１の不織ウェブ材料及び第２の不織ウェブ材料を含む第１の層及び第２の層と、
前記第１の層と前記第２の層との間に挟まれ、前記サイドシームの下に配設された、複数の、長手方向に離間配置され、予歪みが付与され、横方向に配向された、弾性ストランドと、を備え、
前記複数の弾性ストランドのうちの第１は、より高い予歪み、より高い引張り弾性率、より高いデシテックス、及びこれらの組み合わせからなる群から選択される比較収縮力が増大する特徴の１つ以上を有する点で、前記第１の上に配設された前記複数の弾性ストランドのうちの第２とは異なり、かつ
前記第１の不織ウェブ材料は、７ｇｓｍ〜１８ｇｓｍ、より好ましくは８ｇｓｍ〜１５ｇｓｍ、更により好ましくは９ｇｓｍ〜１２ｇｓｍの第１の坪量を有し、前記第２の不織ウェブ材料は、１０ｇｓｍ〜３０ｇｓｍ、より好ましくは１２ｇｓｍ〜２５ｇｓｍ、更により好ましくは１４ｇｓｍ〜２０ｇｓｍの第２の坪量を有する、パンツ。
【請求項２】
前記複数の弾性ストランドの第１の群が、より高い組み合わせ予歪み、より高い組み合わせ引張り弾性率、及びより高い組み合わせデシテックス、並びにこれらの組み合わせからなる群から選択される比較収縮力が増大する特徴の１つ以上を有する点で、第１の群の上に配設された前記複数の弾性ストランドの第２の群とは異なる、請求項１に記載のパンツ。
【請求項３】
前記第１の群が、少なくとも２つの弾性ストランドを含む、請求項２に記載のパンツ。
【請求項４】
前記第１の群の最下部の弾性ストランドが、より高い予歪み、より高い引張り弾性率、及びより高いデシテックス、並びにこれらの組み合わせからなる群から選択される比較収縮力が増大する特徴の１つ以上を有する点で、前記第１の群の最下部から２番目の弾性ストランドと異なる、請求項２又は３に記載のパンツ。
【請求項５】
前記複数の弾性ストランドのうちの最下部が、より高い予歪み、より高い引張り弾性率、及びより高いデシテックス、並びにこれらの組み合わせからなる群から選択される比較収縮力が増大する特徴の１つ以上を有する、請求項１〜４のいずれか一項に記載のパンツ。
【請求項６】
前記複数の弾性ストランド全ての予歪み及び引張り弾性率がほぼ同じである、請求項１〜５のいずれか一項に記載のパンツ。
【請求項７】
着用者が前記パンツを着用する際に、前記後側ベルト部分によって形成された前記左右の脚部開口部の前記縁部が、概ね凸状の輪郭を画定する、請求項１〜６のいずれか一項に記載のパンツ。
【請求項８】
前記複数の弾性ストランドの各々が予歪みを有し、前記後側ベルト部分をゆるめるときに、前記複数の弾性ストランドのうちの最下部が、その緩んだ長さに対して収縮しない、請求項１〜７のいずれか一項に記載のパンツ。
【請求項９】
前記複数の弾性ストランドのうちの最下部が、前記後側ベルト部分の前記下縁部から５．０ｍｍ以下、より好ましくは４．０ｍｍ以下、更により好ましくは３．０ｍｍ以下、前記後側ベルト部分の下隅部に配設されている、請求項１〜８のいずれか一項に記載のパンツ。
【請求項１０】
前記複数の弾性ストランドのうちの最下部が、前記複数の弾性ストランドのうちの２番目に低いものから１０ｍｍ以下、より好ましくは９．０ｍｍ以下、更により好ましくは８．０ｍｍ以下、なおより好ましくは７．０ｍｍ以下離間している、請求項１〜９のいずれか一項に記載のパンツ。
【請求項１１】
前記複数の弾性ストランドのうちの前記２番目に低いものが、前記複数の弾性ストランドのうちの３番目に低いものから１０ｍｍ以下、より好ましくは９．０ｍｍ以下、更により好ましくは８．０ｍｍ以下、なおより好ましくは７．０ｍｍ以下離間している、請求項１０に記載のパンツ。
【請求項１２】
前記サイドシームが永久的である、請求項１〜１１のいずれか一項に記載のパンツ。
【請求項１３】
前記サイドシームのうちの片方又は両方が再締結可能である、請求項１〜１１のいずれか一項に記載のパンツ。
【請求項１４】
前記複数の弾性ストランドのうちの１つ以上が、前記後側ベルト部分の製造中に接着剤で被覆されたストランドであった、請求項１〜１３のいずれか一項に記載のパンツ。
【請求項１５】
前記サイドシームより下かつ前記中心シャーシの外周の横方向に外側に配設される前記後側ベルト部分の平面領域の大部分にわたって、前記第１の層及び前記第２の層が互いに接着していない、請求項１４に記載のパンツ。
【発明の詳細な説明】
【背景技術】
【０００１】
市場の占有率を維持する又は成長させるために、使い捨ておむつ及び吸収性パンツなどの使い捨て吸収性物品の製造業者は、収容性、吸収性、快適さ、フィット感及び外観などの態様に影響を及ぼす、材料、構成要素並びに形態に改善を発見し、開発し続けなければならない。吸収性パンツは、より小さなサイズで製造されて例えば幼児用のプルオンおむつ及びトイレトレーニングパンツとして使用され、より大きなサイズで製造されて例えば失禁を患っている人用の下着として使用される。
【０００２】
現在販売されている吸収性パンツのデザインの特定のタイプは、「バルーン」パンツと呼ばれることがある。バルーンパンツのデザインは、通常、中心の吸収性シャーシ及び弾性ベルトを含む。弾性ベルトは、通常、比較的幅が広く（長手方向に）及び横方向に弾性的に伸縮性がある。それは完全に着用者の腰部を取り囲み、それによって、着用者の皮膚の比較的広い領域を覆い、更にパンツの目視できる外側表面の比較的大きな部分を占める。中心のシャーシ部分は通常、前側でベルト内部に接合されており、脚部の間で着用者の下部胴体を覆い包み、後側でベルト内部に接合されている。ベルトは多くの場合、エラストマ材の横方向に配向された複数のストランド若しくはストリップ、又はエラストマフィルム若しくはエラストマ不織材の切片など、１つ以上の弾性部材を挟む２つの層の不織ウェブにより形成される。製造の際、弾性部材が歪み状態の不織ウェブ層の間に挟まれていることは、前記デザインにおいて一般的である。製造の完了時、弛緩状態を想定するため挟まれた弾性部材を備えたベルトのゆとりで、弾性部材はその緩んだ長さに向かって横に収縮する。これにより不織ウェブ層に、ベルトの目に見える皺の形態になるギャザが形成される。
【０００３】
ベルト構造体は、別々に構成された前側部分と後側部分とから形成され、側部／股関節部の領域に沿ったシームで接合されていてよい。前側部分が後側部分よりも（立った姿勢での着用者に対して垂直方向に）短いいくつかの環境において、脚部開口部を前側の方が高い位置にして体を動きやすくし、かつ／又は前側脚部開口部での摩擦及び擦傷の機会を減少させることが望ましいことがある。逆に、後側部分は長さを多めにとって、着用者の臀部をより広く被覆することが望ましいことがある。
【０００４】
しかし、このようなベルトの前側及び後側部分を接合させるとき、脚部開口部は、長めの後側ベルト部分と短めの前側部分とが接触するシームで段差のある輪郭を有する。補償修正を行なわなければ、パンツを着用する際、段差輪郭が不自然な又は見苦しい外見をもたらし得る。後側の脚部開口部の縁部に隣接する段差輪郭に沿った材料部分は、めくれる又はねじれることがあり、不揃い、不完全又は無秩序な外観をもたらす。
【０００５】
この問題に対処する一方法として、パンツの製造中に、曲線状の脚部カットアウト輪郭を、少なくともベルト構造体の後部分に切り込むものがある。しかし、このような切断は、デザイン、組み立て及び製造ライン用の効率的な切断装置の操作に対する必要性、ライン装置及び工場環境から出るカットオフ断片を除去するシステム、並びに断片の再利用又は廃棄物としてのその処理のいずれかのためのシステム及び／又は手順を作ることにより、費用が嵩み、製造が複雑になる。
【発明の概要】
【課題を解決するための手段】
【０００６】
バルーンパンツのデザインは製造の特定の効率を提供し、及び該デザインは人気を得ることができると考えられている。その結果、これらの問題に対処するベルト構造体のデザインの代替に対する要望が提起される。
【図面の簡単な説明】
【０００７】
【図１】バルーンパンツの例の透視図である。
【図２】着用者に面する表面が見る人に面している、サイドシームで前側及び後側ベルト部分を接合する前の、バルーンパンツ前駆構造体の概略平面図である。
【図３】ベルト部分の構成要素の概略分解透視図である。
【図４】ベルト部分の領域の概略拡大平面図である。
【図５】図４に示したベルト部分の領域の概略横断面図である。
【図６】パンツの概略側面図である。
【図７Ａ】着用者に面する表面が見る人に面している、サイドシームで前側及び後側ベルト部分を接合する前の、バルーンパンツ前駆構造体の概略平面図である。
【図７Ｂ】パンツの概略側面図である。
【図８Ａ】着用者に面する表面が見る人に面している、サイドシームで前側及び後側ベルト部分を接合する前の、バルーンパンツ前駆構造体の概略平面図である。
【図８Ｂ】パンツの概略側面図である。
【図８Ｃ】パンツの概略側面図である。
【図９】着用者に面する表面が見る人に面している、サイドシームで前側及び後側ベルト部分を接合する前の、バルーンパンツ前駆構造体の概略平面図である。
【発明を実施するための形態】
【０００８】
「横断方向」（ＣＤ）とは、不織ウェブ材料、不織材料自体、これらの積層体、又は材料が構成要素である物品の製造に関して、材料及び／又は物品を製造する製品製造ラインを通る材料の前進方向に実質的に垂直の、材料に沿った方向を指す。
【０００９】
本発明の記載を通じて、付勢力が材料に加えられると、その材料若しくは複合体に実質的に損害を与える破裂又は破損を起こすことなく、その材料が元の弛緩時長さの少なくとも１５０％の伸長長さまで伸展することができ（すなわち少なくとも５０％伸展可能）、かつ、その力が材料若しくは複合体から取り除かれると、その材料若しくは複合体がその伸長の少なくとも４０％を回復する場合に、材料若しくは材料の複合体は「弾性」又は「エラストマ性」であるとみなされる。様々な例において、弾性的伸展性材料から力が取り除かれると、材料又は複合体は、その伸長の少なくとも６０％、若しくは少なくとも８０％を回復し得る。
【００１０】
本明細書で用いられる「伸長」は、弾性ストランドに付与される縦歪の量を定量化かつ表すためのものであり、［（ストランドの引っ張られた長さ−引っ張られる前のストランドの長さ）／（引っ張られる前のストランドの長さ）］×１００％を意味する。用語「予歪み」は、ベルト構造体又はパンツの製造中に弾性ストランドに付与された伸長を指して用いられ、同様に表す伸長を指す。
【００１１】
「フィルム」は、１種以上のポリマーで構成される巨視的に連続性の皮膚様又は膜様層の材料を意味する。「フィルム」は、「不織ウェブ」又は「不織材」とは区別され、後者は、固結されているが大部分は個々に独立した繊維のウェブ状構造からなる形状を有する。
【００１２】
パンツ及びその着用者に対して「横方向」とは、着用者の身長に対してほぼ垂直の方向又は着用者が立っているときの水平方向を指す。
【００１３】
パンツ及びその着用者に対して「長手方向」とは、着用者の身長とほぼ平行の方向又は着用者が立っているときの鉛直方向を指す。「長手方向」は、パンツ構造体を側部／股関節部のシームで分離し、折りたたまれたものを展開し、伸展させ、平たく広げるとき、脚部開口部間の前側腰部縁部の中間点からパンツの後側腰部縁部の中間点まで伸展する線とほぼ平行の方向でもある。
【００１４】
パンツに関して、「下方」、「最下」、「上方」、「下部」、「底部」などの位置を表す用語及びこれらの形態は、立っている着用者に着用されるとき、鉛直方向に沿ったパンツ構造体の鉛直に最下部（股の領域）及び最上部（腰部縁部）に対して表される。パンツの前駆構造体に関して、最下部分は横軸（図面に示す軸１００）に近接し、最上部分は腰部縁部に近接する。
【００１５】
「機械方向」（ＭＤ）とは、不織ウェブ材料、不織材料自体、又はこれらの積層体の製造に関して、材料若しくは積層体を製造する製品製造ラインを通る材料若しくは積層体の前進方向に実質的に平行の、材料若しくは積層体に沿った方向を指す。
【００１６】
「機械方向バイアス」は、不織ウェブを形成する繊維に関し、ウェブの状態にあって及び未延伸である繊維の大部分が、その横断方向ベクトル成分以上の機械方向ベクトル成分とともに長さを有することを意味する。
【００１７】
「不織材」は、最初に可動面（コンベヤーベルトなど）の上に付着かつ蓄積され、次いで摩擦、凝集、粘着或いは局所圧縮及び／又は圧力、熱、超音波若しくは熱エネルギー若しくはこれらの組み合わせの印加によって作られる１つ以上の接着パターン及び接着インプレッションによって共に固結かつ接着される、一方向に又はランダムに配向した繊維の製造シート又はウェブである。この用語は、ヤーン又はフィラメントで織った、編んだ、又はステッチボンドした布地は含まない。繊維は、天然及び／若しくは人造のものであってもよく、ステープル及び／若しくは連続フィラメントでもよく、又はその場で形成されたものでもよい。市販の繊維は、約０．００１ｍｍ未満〜約０．２ｍｍ超の範囲の直径を有し、いくつかの異なる形態、すなわち短繊維（ステープル又は細断繊維として知られる）、連続単繊維（フィラメント又はモノフィラメント）、撚り合わせていない連続フィラメントの束（タウ糸）、及び連続フィラメントの撚り束（編み糸）として提供されている。不織材は、これらに限定されないが、スフを用いた、メルトブローイング、スパンボンディング、スパンメルティング、溶剤紡糸、電界紡糸、梳綿、フィルムフィブリル化、メルトフィルムフィブリル化、空気積層、乾式積層、湿式積層、及び当該技術分野で既知のこれらのプロセスの組み合わせを含めた多くのプロセスによって形成することができる。不織材の坪量は通常、グラム／平方メートル（ｇｓｍ）で表す。
【００１８】
不織ウェブ上の開口のパターンに関して、積層体の層を形成する不織ウェブより「先在する」とは、開口のパターンが不織ウェブの積層体への取り込みの前に不織ウェブの上に形成されたことを意味する。
【００１９】
ウェブに関して「Ｚ方向」とは、機械方向及び横断方向寸法に沿ってウェブにより近似される平面に対して、一般に直交又は垂直を意味する。
【００２０】
バルーン型吸収性パンツのベルトを形成するために用いる場合、本発明の構造の例が本明細書に記載されているが、例が同様に、パンツ、おむつ、他の着用可能な物品及び他の製品の他の構成要素を形成するために用いることができることはいうまでもない。
【００２１】
図１は、バルーンタイプの吸収性パンツ１０の例を図示する。図２は、着用者に面する表面が見る人に面している、前側ベルト部分２２が後側ベルト部分２３とシーム２４で接合している最終的な組み立ての前の、平たく広げ、弾性により生じる収縮に対して横方向に延伸する開放型形状のパンツの前駆構造体を図示する。パンツ１０を形成するために、前駆構造体を横軸１００（前駆構造体の長手方向の中間点に位置する）で又はその周辺で折り畳み、トップシート３３が内側に向くようにし、前側２２及び後側２３ベルト部分の長手方向の縁部がシーム２４で接合し、脚部開口部１５、前側腰部縁部３４及び後側腰部縁部３５を有するパンツ構造体を形成することができる。
【００２２】
パンツ構造体は、ベルト２０及び中心のシャーシ３０を含んでよい。中心のシャーシ３０は、使い捨ておむつ及び吸収性パンツの吸収性構造体に含まれる構成要素の任意の組み合わせを含んでよく、これらに限定されないが、液体不透過性ウェブ材料の少なくとも一部に形成される液体不透過性バックシート３１、液体透過性トップシート３３、吸収性コア構造体（具体的には図示せず）、及び伸縮性バリアーカフ３２を含む。中心のシャーシの構成要素及び形態の例及び説明は、米国特許出願公開第２０１３／０２１１３５５号に記載されており、ここで記載されるシャーシは、中心のシャーシ３０に含まれ得る構成要素及び特徴を含む。図１に示す例において、ベルトの前側部分２０は、下縁部２１で、パンツの股領域１２のショートを止める。中心のシャーシ３０は、前側及び後側ベルト部分２２、２３の上に、これらの内面（着用者に面する側）に対して覆い被さってよい。中心のシャーシ３０の外周４１は、液体不透過性ウェブ材料の外周によって画定されてよい。
【００２３】
図３〜５を参照して、前側及び後側ベルト部分２２、２３のうちの片方は又は両方とも、内部層及び外部層をそれぞれ形成する不織ウェブ層２５ａ、２５ｂから形成されてよい。本発明において有用であり得る好適な不織ウェブ材料は、これらに限定されないが、スパンボンド、スパンレイド、メルトブロー、スパンメルト、溶剤紡糸、電界紡糸、梳綿、フィルムフィブリル化、メルトフィルムフィブリル化、空気積層、乾式積層、湿式積層を施したスフ、及び当該技術分野において既知の、部分的又は全体的なポリマ繊維で形成された他の不織ウェブ材料も含む。不織ウェブは、主にポリマ繊維で形成され得る。いくつかの例において、好適な不織繊維材料には、これらに限定されないが、ポリマ材料、例えばポリオレフィン、ポリエステル、ポリアミド、又は具体的にはポリプロピレン（ＰＰ）、ポリエチレン（ＰＥ）、ポリ乳酸（ＰＬＡ）、ポリエチレンテレフタレート（ＰＥＴ）及び／又はこれらの配合物を挙げることができる。いくつかの例において、繊維は、米国特許第５，２６６，３９２号に記載されるようなＰＰ／ＰＥ配合物で形成されていてよい。不織繊維は、添加剤又は修飾物質として、脂肪族ポリエステル、熱可塑性ポリサッカライド、又は他のバイオポリマなどの成分で形成されてよい、又はこれらを含んでよい。更に有用な不織材、繊維組成物、繊維及び不織材の形成、並びに関連の方法は、米国特許第６，６４５，５６９号、同第６，８６３，９３３号、及び同第７，１１２，６２１号、並びに、米国特許出願第１０／３３８，６０３号、同第１０／３３８，６１０号、及び同第１３／００５，２３７号に記載されている。
【００２４】
個々の繊維は、単一成分でも多成分でもよい。多成分繊維は、芯及び鞘又は並列配列などの２成分でよい。多くの場合、個々の成分は、ポリプロピレン若しくはポリエチレンなどのポリオレフィン、若しくはこれらのコポリマ、ポリエステル、熱可塑性ポリサッカライド又は他のバイオポリマを含む。
【００２５】
一例によれば、不織材は、外部圧力が加えられて除去されるとき良好な回復をもたらす材料を含んでもよい。更に一例によれば、不織材は、例えば上述のポリマ繊維のタイプから選択される、異なる繊維の配合物を含んでもよい。いくつかの実施形態では、繊維の少なくとも一部分は、螺旋形状を有するスパイラル捲縮を示してもよい。一例によれば、繊維は、各々が異なる材料、通常は第１及び第２のポリマ材料を含む個別の繊維である、２成分繊維を含んでもよい。並列２成分繊維の使用は、繊維にスパイラル捲縮を付与するのに有益であると考えられている。潜在的に好適な捲縮又は「牽縮」２成分繊維及びこれらから形成される不織材は、米国特許第５，３８２，４００号、同第５，４１８，０４５号、同第５，７０７，４６８号、同第６，４５４，９８９号、同第６，６３２，３８６号、同第５，６２２，７７２号及び同第７，２９１，２３９号に記載されている。本明細書の目的のために、例えば、上記の特許文献に記載するような牽縮２成分又は多成分繊維から形成される不織材の使用は、ベルト部分の形成に使用される層２５ａ、２５ｂの片方又は両方として望ましい可能性があるが、その理由は、これらが、特に手触りが柔らかく感じることができ（着用者にとって内側面が快適であり、外側面は審美的に満足のいく印象になる）、概してかなり柔軟性に富み、以下に記述するように、下後脚縁部で容易に横方向に引っ張れるからである。
【００２６】
積層体の柔軟性の知覚認知を向上させるために、不織材は、ハイドロジェット衝突によって処理されてもよく、それはまた、流体エンハンシング、水流交絡、又はハイドロエンゴルジとしても既知であり得る。このような不織材及びプロセスは、例えば、米国特許第６，６３２，３８５号及び同第６，８０３，１０３号、並びに米国特許出願公開第２００６／００５７９２１号に開示されている。
【００２７】
本発明の積層体に有用であり得る不織ウェブの他の例は、Ａｖｇｏｌ  Ｎｏｎｗｏｖｅｎｓ  ＬＴＤ、Ｔｅｌ  Ａｖｉｖにより製造されている商標名ＸＬ−Ｓ７０−２６のＳＭＳウェブ（スパンボンド−メルトブロー−スパンボンドウェブ）、Ｐｅｇａｓ  Ｎｏｎｗｏｖｅｎｓ  ＡＳ（Ｚｎｏｊｍｏ，Ｃｚｅｃｈ  Ｒｅｐｕｂｌｉｃ）により製造されている商標名１８  ＸＸ  ０１  ００  ０１  ００（ＸＸ＝可変坪量）のソフトバンドＳＳＳ（スパンボンド−スパンボンド−スパンボンド）、Ｇｕｌｓａｎ  Ｓｅｎｔｅｔｉｋ  Ｄｏｋ  Ｓａｎ  ＶＥ  ＴＩＣ  ＡＳ（Ｇａｚｉａｎｔｅｐ，Ｔｕｒｋｅｙ）により製造されている商標名ＳＢＸＸＦ０ＹＹＹ（ＸＸ＝可変坪量、及びＹＹＹ＝可変横方向幅）のＳＳＳウェブ、Ｆｉｒｓｔ  Ｑｕａｌｉｔｙ  Ｎｏｎｗｏｖｅｎｓ  Ｉｎｃ．（Ｈａｚｅｌｔｏｎ，Ｐｅｎｎｓｙｌｖａｎｉａ）により製造されている商標名ＳＥＨ２５０３ＸＸＸ（ＸＸＸ＝可変横方向幅）のＨＥＳＢ（流体エンハンシングスパンボンド）、及び２成分ＳＳウェブでよい。メルトブロー層（ＳＭＳウェブなど）を含むことが望ましい場合があるが、その理由は、メルトブロー繊維が、かなり細かく、単位坪量当たりの、単位平面当たりのカウントが大きく、スパンボンド繊維よりもかなり高い、単位坪量当たりの不透明度をウェブに付与するためである。内部層２５ａ及び外部層２５ｂの片方又は両方に、メルトブローン層（ＳＭＳウェブなど）を含む不織材を利用することが望ましい可能性があり、付与された不透明度は着用者の側部／股関節部の皮膚をより良好に隠す。
【００２８】
一般に、不織材の坪量は、その厚さ、柔軟性及び引張り強さに影響を与える。坪量のみが異なり、他の点では同じタイプの繊維から形成され、他の点では同じプロセスを通して形成される２種の各々の不織材において、坪量が低い不織材は、２種に対して、単位平面当たりの繊維カウントが低く、より薄く、より柔軟性に富む。逆に、坪量が高い不織材は、２種に対して、単位平面当たりの繊維カウントが高く、より厚みがあり、より剛性である。一般に、坪量が高く、繊維カウントが高い不織材は、機械方向及び横断方向の引張り強さも高くなる傾向がある。
【００２９】
通常、処理には、特定の量の機械方向及び横断方向の引張り強さが望ましく、不織ウェブは、引裂又は過度変形なしに、処理装置によって課される引張荷重に持ちこたえなければならない。更に、ベルト構造体の不織ウェブ部分が、使用時の通常の延伸まで限定して（すなわち、すべてのひだ又は皺２７が引き出されるとき）、最小横方向引張り強さをベルトに付与することが望ましいことがある。一方、本明細書に記載のベルト構造体を形成することを目的として、最大通気性（ベルト構造体下の着用者の皮膚を比較的涼しく乾燥した状態に保つため）及び快適なフィット性のために、より薄めで柔軟性のウェブが望ましいことがある。最大柔軟性も、下記の下後脚縁部で材料を横方向に引き戻すことを促進するために望ましい。これに応じて、適当な坪量の選択には、これらの競合する事柄の間に適当なバランスを見出すことが必要とされる。内部層２５ａの坪量は、好ましくは７ｇｓｍ〜１８ｇｓｍ、より好ましくは８ｇｓｍ〜１５ｇｓｍ、更により好ましくは９ｇｓｍ〜１２ｇｓｍに選択されると考えられる。外部層２５ｂの坪量は、好ましくは１０ｇｓｍ〜３０ｇｓｍ、より好ましくは１２ｇｓｍ〜２５ｇｓｍ、更により好ましくは１４ｇｓｍ〜２０ｇｓｍに選択されると考えられる。両方の層２５ａ及び２５ｂの組み合わせは、ベルト構造体２３に横方向の引張り強さを加えることを理解されたい。両方の層２５ａ及び２５ｂ（弾性ストランドは含まない）の組み合わせ坪量は、１７ｇｓｍ〜４８ｇｓｍ、より好ましくは２０ｇｓｍ〜４０ｇｓｍ、更により好ましくは２３ｇｓｍ〜３２ｇｓｍに選択してよい。これらの層を形成するために使用される各不織材料は、同じ又は異なる坪量を有するように選択してよい。内部層２５ａが外部層２５ｂよりも低い坪量を有するようにし、着用者の皮膚に隣接するひだ又は皺２７の柔軟性を高め、同時に外側の外観に厚みを与えることが好ましい。
【００３０】
特定の例において、内部層２５ａは、坪量が７ｇｓｍ〜１８ｇｓｍの本明細書に記載のＳＭＳ不織材であってよく、外部層２５ｂは、坪量が１７ｇｓｍ〜４８ｇｓｍの本明細書に記載の多成分又は２成分の牽縮繊維から主に形成されていてよい。
【００３１】
不織ウェブの層２５ａ、２５ｂは、エラステイン（例えば、Ｉｎｖｉｓｔａ，Ｗｉｃｈｉｔａ，Ｋａｎｓａｓの製品、ＬＹＣＲＡ  ＨＹＦＩＴ繊維）などのエラストマ材の複数のストランド２６など、１つ以上の弾性部材を挟んでよい。不織ウェブの層２５ａ、２５ｂは、層間に付着した接着剤によって、熱ボンドによって、圧着によって、又はこれらの組み合わせによって、弾性ストランド２６周りで一緒に接合してよい。他の例において、１つ以上の弾性部材は、エラストマ材により形成されたフィルムのストリップ又は切片でもよい。
【００３２】
エラストマ部材は、ゴム、スチレン−エチルブチレン−スチレン、スチレン−エチレン−プロピレン−スチレン、スチレン−エチレン−エチレン−プロピレン−スチレン、スチレン−ブダジエン−スチレン、スチレン−イソプレン−スチレン、ポリオレフィンエラストマ、エラストマポリウレタン、及び当該技術分野において既知の他のエラストマ材、並びにこれらの組み合わせなど、様々な材料から形成され得るが、これらに限定されない。いくつかの実施形態では、弾性部材は、任意の数のストランド（又はフィラメント）を有する押出ストランド弾性体であってもよい。エラストマ部材は、５０〜２０００の範囲のデシテックス、若しくはこの範囲の任意のデシテックスの値に関する任意の整数値、又はこれらの整数値のいずれかによって形成される任意の範囲を有し得る。エラストマ部材は、フィルムの形態でもよい。フィルムの例は、先の特許出願において広範にわたって記載されている（例えば、米国特許出願公開第２０１０／００４０８２６号を参照）。フィルムは、複数の副層の少なくとも１つに化合される様々な樹脂により作成することができ、該副層が異なる利点をフィルムへ提供する。
【００３３】
ベルト構造体の製造中、弾性ストランド２６などの弾性部材は、ベルト構造体に組み込むのに望ましい量だけ縦方向に予歪みが与えられてよい。後続するベルトの弛緩時、弾性ストランド２６などの弾性部材は、その緩んだ長さに向かって収縮する。これは、不織材料の層２５ａ、２５ｂにギャザを付け、隆起２８及びくぼみ２９を有するひだ又は皺２７を形成させ、これらは一般に弾性ストランド２６の長さに対して横断し、ｚ方向に延長する。
【００３４】
皺２７のサイズ及び形状は、互いに対する及び弾性ストランド２６に対する、接合部分及び／又は不織ウェブの層２５ａ、２５ｂ間の結合のパターンのデザインによって、影響を受け、操作されてよい。積層前に、片方又は両方の層２５ａ、２５ｂに付着した接着剤を使用して接合及び／又は接着されると、接着剤はあるパターンで付着し得る。弾性のある積層体の製造を可能にするため、接着剤のパターニングされた沈着物を不織ウェブ基材に適用する方法の例が、米国特許第８，１８６，２９６号に記載されている。選択されるパターンは、それに対応してデザインされたローラのデザインにより生じ得る。適用される接着剤のパターンは、皺２７のサイズ及び形状に影響を及ぼすようにデザインされ得る。層２５ａ、２５ｂは、接着剤の沈着物の位置で互いに接着接合及び／又は結合し、他の位置では接合していない、若しくは結合していない、又は独立しているままであってよく、したがって物品を着用する間、積層体を動かし、延伸すると、これらが互いに対して若干動き、移動し得る。同様に、接合及び／又は結合することが、熱カレンダ加工結合を使用して生じるとき、接合及び／又は結合するパターンは、皺２７のサイズ並びに形状に影響を及ぼすようにデザインされ得る。
【００３５】
別の例では、ベルト積層体の構成要素を接着するために、ベルト積層体中に組み込む前に、弾性ストランド２６自体が、個別に接着剤で被覆されていてよい（「被覆ストランド」）。これは、後続する層２５ａ、２５ｂによる積層の際の、中心シャーシ３０の外周４１の横方向に外側の領域中（すなわち、側部／股関節部の領域中）のベルト積層体の平面領域の少なくとも大部分における、層２５ａ、２５ｂ及びストランド２６を接着して積層構造体にする一次機構であってよい。これは、製造中に弾性ストランドに付与される任意の予歪みが、均等に、固定して、層２５ａ、２５ｂに横方向に配置され、組み立てたベルト構造体又はその一部の弛緩の際、皺２７の均等な形成及び均等な横方向の配置及び均等なサイジングを促進する利点を与え得る。更に、ベルト積層体は、弾性ストランド２６に沿っている部分以外は接着していない層２５ａ、２５ｂで形成され得るため、ストランド間の領域中の層２５ａ、２５ｂは、自由に動かせ、互いに独立して動くままであり（ｚ方向を含む）、追加の柔軟性、たわみ性及び嵩高性をベルト積層体に与え、着用者の快適さを強化し、見た目の豪華さ及び風合いに貢献する。後側ベルト部分２３の下半分又はシーム２４の下及び中心シャーシ３０の外周４１の横方向外側に位置する後側ベルト部分の切片におけるストランド被覆は特に有益であり得るが、その理由は、上で参照した弾性予歪みの均等配置及び積層体の柔軟性が、下に記述する中心シャーシ３０に向かう後側ベルト部分２３の下隅部２１ａの横方向の延伸をより良好に促進することができるからである。そのため、中心シャーシ３０の外周４１の横方向外側及びシーム２４の下の後側ベルト部分２３の大部分の平面領域中の層２５ａ、２５ｂは、弾性ストランド２６に沿った積層体に接着するが、シーム２４より横方向に内側、中心シャーシ３０の横方向に外側、ストランド２６間、横方向ベルト下縁部１８より上に位置する、すべての又は大部分の介在領域３６に沿った積層構造体には接着しないことが好ましい。ストランド被覆方法及び技術を含めた、様々な被覆方法及び技術は、例えば、米国特許第５，３４０，６４８号、同第５，５０１，７５６号、同第５，５０７，９０９号、同第６，０７７，３７５号、同第６，２００，６３５号、同第６，２３５，１３７号、同第６，３６１，６３４号、同第６，５６１，４３０号、同第６，５２０，２３７号、同第６，５８２，５１８号、同第６，６１０，１６１号、同第６，６１３，１４６号、同第６，６５２，６９３号、同第６，７１９，８４６号及び同第６，７３７，１０２号に示されている。使用する接着剤は、予歪みが付与された弾性材料を基材に取り付けるために適合させる、弾性及びたわみ性を有するホットメルト型接着剤、例えばＢｏｓｔｉｋ，Ｉｎｃ．（Ｗａｕｗａｔｏｓａ，Ｗｉｓｃｏｎｓｉｎ）から入手可能なＯＭＮＩＭＥＬＴ  ＢＬＯＣＫＳ  ２２  Ｈ２４０１Ｆ又はＡＶＡＮＣＥなどのＺＥＲＯＣＲＥＥＰであってよい。
【００３６】
図２及び６を参照して、後側ベルト部分２３が、前側ベルト部分２２よりも長くなるように作られ得ることが見られる。後側の着用者の臀部を広く覆いながら、着用者が前屈したときの股関節部の脚を快適に収容するように（及び前脚部開口縁部における着用者の肌のこすりや擦れの変化を低減する）、パンツの後側よりもパンツの前側の脚部開口部１５の縁部を高くすることが望ましい。しかし、図６を考慮すると、いくつかの更なる修正を加えることなく、単純に前側２２及び後側２３ベルト部分を接合すると、脚部開口縁部がサイドシームの後側に対して段差輪郭を有する結果になる。このようなパンツを着用する場合、脚部開口テンション１６の線（サイドシーム２４の底部に及ぶ点から後側ベルト部分２３がシャーシ３０と接合する点まで延伸した線）の下に位置する、隅部２１ａを含む後側ベルト部分２３の領域が、不自然な又は見苦しい外観を作り出してしまう恐れがある。テンション１６の線の下の材料部分は、外側に反転する、かつ／又は丸まることがあり、これにより不揃いの、不完全又は無作為の外観が好ましくない形で見えてしまう。
【００３７】
この問題に対する一解決策を図７Ａ及び７Ｂに例示する。パンツの製造において、後側ベルト部分２３の切片を、テンション１６の線と考えられるものとほぼ同一位置でよいカットライン１７に沿って切除すると、反転したり、かつ／又は丸々傾向があったベルト部分は取り除かれる。切断は、所望される任意の他の好適な輪郭も有し得る。しかし、この方法での材料部分の切除は、切断器具及びプロセスが必要となり、製造ライン及び工場環境から除去し、リサイクル又は廃棄物として処理しなければならない切れ端を産出する。これらの必要は、費用が嵩み、製造プロセスを複雑にする。
【００３８】
代替の解決策を、図８Ａ〜８Ｃを参照して説明することができる。後側ベルト部分２３に組み込まれている、均一の弾性率、デシテックス及び／又は予歪み度の弾性ストランド２６の代わりに、後側ベルト部分２３の下部領域に位置する、例えばシーム２４の下に位置する弾性ストランドは、上の弾性ストランドとは異なる横方向の収縮力を付与させる異なる特徴を有し得る又は付与され得る。
【００３９】
一例において、シーム２４の下に位置する１つ以上の弾性ストランドは、予歪み度、引張り弾性率又はデシテックスのうちの１つ以上が異なっていてよい。比較的高い予歪み、高い引張り弾性率及び／又は高いデシテックスのうちの１つ以上（同じ材料）が、パンツの着用時に伸展した際、その横方向の長さに沿って弾性ストランドが比較的高い収縮力を作用させるようにする。この高い収縮力は、後側ベルト部分が部分的に又は全体的に横方向に弛緩させる際、弾性ストランド周りの後側ベルト部分２３の領域が比較的長い距離で横方向に内側に向かって（シャーシ３０に向かって）引っ張られるようにする傾向がある。不織材層２５ａ、２５ｂ（図５を参照）は、弾性ストランドに沿って／弾性ストランド周りに比較的多数の又は多量の皺２７を形成することによって高い横方向の収縮に適応する。
【００４０】
後側ベルト部分の下位グループの弾性ストランド２６、例えばシーム２４の下に位置するグループ（図８Ａ〜８Ｃに図示した例における弾性ストランド２６ａ〜２６ｄ）は、グループ化した又は個別の連続的な多少の横方向収縮力を、後側ベルト部分に、その横方向の長さ周りで付与して、シーム２４の下及び中心シャーシ３０の外周４１の横方向に外側に位置する下部ベルト横縁１８及び側縁部１９によって想定される輪郭を変更するように選択されてよい、かつ／又は予歪みを付与されてよい。
【００４１】
簡易な例において、積層体が均一な幅まで延伸されるとき、後側ベルト部分における２つの最下部の弾性ストランド２６の組み合わせ（例えば、図８Ａのストランド２６ａ及び２６ｂ）によって示される横方向収縮力は、シーム２４より下に位置する２つの最上部の弾性ストランドの組み合わせ（例えば、図８Ａのストランド２６ｃ及び２６ｄ）によって示される横方向収縮力よりも高い。これは、製造中に、最上部のストランドよりも高い組み合わせ量を、２つの最下部のストランドに予歪みを付与することによって実現することができる。また、２つの最下部のストランドに、２つの最上部のストランドよりも高い平均デシテックスを有するストランドを使用することによっても実現できる。製造プロセスの簡略及び信頼性のために、製造中に、異なる量の予歪み／伸長を付与するよりも、デシテックスが異なるストランドを使用することが好ましい可能性がある。
【００４２】
別の例では、パンツの製造中に付与される最下部の弾性ストランド（例えば、図８Ａに示すストランド２６ａ）の予歪み量は、製造完了時及び後続するベルト構造体の弛緩時のゆるめた長さまで完全に収縮できない程十分高くなるように選択するが、その理由は、層２５ａ、２５ｂ中にこのような完全な収縮を防止するために十分な材料が存在しているためである。これは、比較的小柄な着用者がパンツを着用したとしても、ベルト構造体２３の最下部の後側部分に張力が常に存在し、隅部２１ａを横方向に内側へ、中心シャーシ３０に向かって引っ張り、保持することを確実にする。
【００４３】
別の例では、後側ベルト部分の最下部ストランド（例えば、図８Ａに示すストランド２６ａ）は、同じエラストマ材料で形成されてよいが、３０％〜９０％、より好ましくは４０％〜８０％、更により好ましくは５０％〜７０％、シーム２４より下に位置する最上部の弾性ストランド２６（例えば、図８Ａに示すストランド２６ｄ）よりも高いデシテックスを有してよい。特定の一例において、後側ベルト部分におけるシームより上に位置する１つ以上の弾性ストランドは９４０  ｄｔｅｘ  ＬＹＣＲＡストランドでよく、シーム下の第１のストランドは１１００  ｄｔｅｘ  ＬＹＣＲＡストランドでよく、下部横縁部に最も近い最下部のストランドは１５２０  ｄｔｅｘ  ＬＹＣＲＡストランドでよい。（ＬＹＣＲＡストランドは、Ｉｎｖｉｓｔａ（Ｗｉｃｈｉｔａ，Ｋａｎｓａｓ）の製品である。）パンツの製造中に同じ予歪みが付与された場合、これらのデシテックスが異なるストランドは、着用中にベルト構造体に異なる横方向収縮力を付与し、デシテックスが高いストランドは高い横方向収縮力を付与する。この例では、最下部のストランドが、最も高い横方向収縮力を付与することを理解されたい。その結果、図８Ｂに示唆するように、最下部のストランドは、ベルト構造体の下隅部２１ａが、中心シャーシ３０に向かって横方向に引っ張られるようにする傾向を持つ。ひだ又は皺２７は、ベルト積層体の横方向収縮力が高い領域において比較的多数又は多量になる。
【００４４】
後側脚部開口縁部の全体の輪郭は、その他にもシーム２４より下に位置する弾性ストランド２６のデシテックス及び／又は予歪みを変えることによって操作することができる。
【００４５】
図８Ｂに例示する例では、最下部の弾性ストランド２６ａは、弾性ストランド２６ｂ、２６ｃ、２６ｄなどのいずれと同等又はそれらより高い収縮力をその横方向の長さに沿って与える程度に選択されてよい、かつ／又は予歪みが付与されてよく、これにより横方向の長さに沿って位置する後側ベルト部分２３の領域が、ストランド２６ａより上及びシーム２４より下に位置する領域と同じ又はそれ以上の距離で中心シャーシ３０に向かって引っ張られる傾向を持つことができる。ストランド２６ａより上に位置するストランド（例えば、ストランド２６ｂ、２６ｃ、２６ｄ）は、連続的に低い収縮力を与える程度に選択されてよい、かつ／又は予歪みが付与されてよく、これにより横方向の長さに沿って位置する後側ベルト部分の領域が、中心シャーシ３０に向かって、連続的に短い距離で引っ張られるようにする。結果として、横縁部１８及び側縁部１９が、図８Ｂで示唆するように、パンツを着用するとき、概ね凸状の輪郭を画定するようにできる。シーム２４より下に位置する弾性ストランドの適当な選択及び／又は予歪み度により、かなり滑らかな輪郭を作ることができ、後側ベルト部分２３の下隅部の任意のその切れ目を最小限に抑えることができる。
【００４６】
別の例では、最下部の２つの弾性ストランド２６ａ、２６ｂは、組み合わせて最高のデシテックスを有し得、最下部から２番目の２つの弾性ストランド２６ｃ、２６ｄは、組み合わせて次に高いデシテックスを有し得、これは最高のデシテックスより低いが、最下部から２番目の２つの弾性ストランドよりも上に位置するストランドのデシテックスよりも高い。更により特定した一例では、最下部の２つの弾性ストランド及び最下部から２番目の２つの弾性ストランドはそれぞれ、ＬＹＣＲＡから形成されてよく、それぞれ１５２０及び１１００のデシテックスを有し、その製造中に後側ベルト部分に組み入れる際に２９０％で予歪みを付与してよい。
【００４７】
図８Ｃに例示する別の例では、シーム２４より下に位置する弾性ストランドは、図８Ｂに例示したものとは異なる輪郭を、縁部１８、１９によって形成される後側脚部開口下縁部に付与するように選択されてよい、かつ／又は予歪みが付与されてよい。図８Ｃの例では、シーム２４の真下に位置する１つ以上の弾性ストランド（例えば、ストランド２６ｃ、２６ｄ）は、これらの下の弾性ストランド（例えば、ストランド２６ａ、２６ｂ）よりも、比較的高い横方向収縮力を後側ベルト部分に付与するように選択されてよい、かつ／又は予歪みが付与されてよい。これは、図８Ｃで示唆するように、後側ベルト部分が、異なる、概ね凸状の輪郭に沿って横方向に引っ張るようにすることができる。
【００４８】
後側の縁部の輪郭及び隅部２１ａの平滑作用を最大化するために、後側ベルト部分における最下部の弾性ストランド（例えば、ストランド２６ａ、２６ｂ、２６ｃ、２６ｄ）間の間隔を制限することが望ましい場合がある。２つの最下部のストランド（例えば、ストランド２６ａ、２６ｂ）間の間隔は、１０ｍｍ以下、より好ましくは９．０ｍｍ以下、更により好ましくは８．０ｍｍ以下、なおより好ましくは７．０ｍｍ以下であることが特に望ましい。これは、弾性ストランドの横方向収縮により作られる、下縁部１８に隣接する層２５ａ、２５ｂ中のひだ又は皺２７が制御され、比較多数を維持し、その結果、比較的小サイズになることを確実にすることを助ける。
【００４９】
上記の弾性ストランドの構成と連動して、最下部の弾性ストランド（例えば、図８Ｂ及び８Ｃのストランド２６ａ）は、後側ベルト部分の下部の横縁部１８から５．０ｍｍ以下、より好ましくは４．０ｍｍ以下、更により好ましくは３．０ｍｍ以下、少なくとも下隅部２１ａに配設されることが望ましい場合がある。これは、弾性ストランドによって制御されない不織材料の量を最小限にし、そうでなければ、脚部開口縁部、特に下隅部２１ａに不揃いな外観を作りだしてしまう恐れがある。
【００５０】
図９を参照して、同様に上記の弾性ストランドの構成と連動して、後側ベルト部分２３の縁部１８、１９に沿った層２５ａ、２５ｂ間に結合４０を付与することが望ましい場合がある。このような結合は、不揃いの外観を作り出す原因となり得る縁部１８、１９に沿った層の任意の分離を防止するために役立てることができ、シーム２４より下の弾性ストランドの収縮力の下で、後側ベルト部分を内側に横方向で中心シャーシ３０に向かって効率的に引っ張る助けもすることができる。結合４０は、例えば、米国特許第４，８５４，９８４号及び同第４，９１９，７３８号に記載の機械的結合／圧着によって、熱ボンド若しくは溶接によって、又は層２５ａ、２５ｂ間の接着剤の付着によって生じさせることができる。図９で示唆するように、このような結合は、縁部１８、１９に沿ってパターンを形成し得る。このような結合は、概して後側ベルト部分２３を積層構造体としてまとめる層２５ａ、２５ｂ間の任意の結合の捕捉であってよい。
【００５１】
サイドシーム２４は、永久的であっても再び締結可能であってもよい。永久シームは、任意の結合機構によって前側ベルト部分と後側ベルト部分との間で形成され、前側及び後側ベルト部分は、前側及び後側ベルト部分の片方又は両方に損傷を与えずに、又は再取付若しくは再締結を行なうことができる任意の機構なしで強制的に分離することはできない。永久シームを形成する結合は、圧着、熱接合／溶接又は接着を含み得る。再締結可能なシームは、前側及び後側ベルト部分の実質的に非破壊の強制的分離、及び後続する同じ位置に沿っての再取付又は再締結を可能にするように構成された任意の機構によって、前側ベルト部分と後側ベルト部分との間に形成される。このような機構の一例は、マジックテープシステム、例えばＶＥＬＣＲＯ締結システムである。好適なサイズ及び形状のホック部品は、その長手方向の縁部に沿って前側又は後側ベルト部分の片方に結合されてよく、好適なサイズ及び形状のループ部品は、その長手方向の縁部に沿って前側又は後側ベルト部分の他方に結合されてよく、これらの位置は、これらが接合し、係合してシーム２４を形成することができる位置である。
【００５２】
本明細書で開示する寸法及び値は、列挙された正確な数値に厳密に限られるとして理解されるべきではない。それよりむしろ、特に指示がない限り、このような寸法はそれぞれ、列挙された値とその値を囲む機能的に同等な範囲との両方を意味することを意図する。例えば、「４０ｍｍ」として開示される寸法は、「約４０ｍｍ」を意味することを意図する。
【００５３】
相互参照される又は関連する任意の特許又は特許出願、及び本願が優先権又はその利益を主張する任意の特許出願又は特許などの、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（１乃至複数）と組み合わせたときに、そのような発明全てを教示、示唆、又は開示するとはみなされない。更に、本文書での用語の任意の意味又は定義の範囲が、参照により組み込まれた文書中の同一の用語の任意の意味又は定義と矛盾する場合には、本文書中で用語に割り当てられる意味又は定義に準拠するものとする。
【００５４】
本発明の特定の実施形態が説明及び記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲によって網羅されることが意図される。
【図１】
2017527351.tif 000003
【図２】
2017527351.tif 000004
【図３】
2017527351.tif 000005
【図４】
2017527351.tif 000006
【図５】
2017527351.tif 000007
【図６】
2017527351.tif 000008
【図７Ａ】
2017527351.tif 000009
【図７Ｂ】
2017527351.tif 000010
【図８Ａ】
2017527351.tif 000011
【図８Ｂ】
2017527351.tif 000012
【図８Ｃ】
2017527351.tif 000013
【図９】
2017527351.tif 000014
【国際調査報告】
2017527351.tif 000015
2017527351.tif 000016
2017527351.tif 000017